(57)【要約】【課題】  大型トラッククレーンを使用せずに、場所を選ばず、効率的且つ安価に施工できるようにする塔状建造物の構築解体用足場装置及び該装置を使用した塔状建造物の解体方法の提供。【解決手段】  所定高さの建枠を使用した多階層構造の養生足場１０と、養生足場１０の上端に設置された吊り用支持枠２０と、吊り用支持枠２０に上端が固定された複数の固定縦向き材２１，２１…と、縦向き材２１に対して上下方向に相対移動可能に連結された伸縮用縦向き材２２と、固定縦向き材２１に対して伸縮用縦向き材２２を上下方向に強制相対移動させる昇降駆動ユニットとを備え、吊り用支持枠２０を養生足場１０の上端に支持させた状態で伸縮用縦向き材２２を昇降可能とし、伸縮用縦向き材２２を養生足場１０の最上部より下の階層部分に支持させて固定用縦向き材２１を吊り用支持枠２０とともに昇降可能とした。【選択図】  図１
2006132181.tif 000002
【特許請求の範囲】
【請求項１】
所定高さの建枠を使用し、該建枠の高さ分づつ順次組立て又は解体可能な多階層構造の養生足場と、該養生足場の上端に設置され、塔状建造物の構築又は解体に使用される作業用機材を吊り下げ支持させる吊り用支持枠と、前記吊り用支持枠に上端が固定され、前記養生足場内に向けて下向きに伸びる配置の複数の固定縦向き材と、該縦向き材に対して上下方向に相対移動可能に連結された伸縮用縦向き材と、前記固定縦向き材に対して伸縮用縦向き材を上下方向に強制相対移動させる昇降駆動ユニットとを備え、前記吊り用支持枠を前記養生足場の上端に支持させた状態で前記伸縮用縦向き材を昇降可能とし、該伸縮用縦向き材を前記養生足場の最上部より下の階層部分に支持させて前記固定用縦向き材を前記吊り用支持枠とともに昇降可能としてなる塔状建造物の構築解体用足場装置。
【請求項２】
前記昇降駆動ユニットは、前記伸縮用縦向き材に対して上下移動不能に支持されたスクリュー軸と、該スクリュー軸を回転駆動させる駆動源と、前記スクリュー軸に螺合され前記縦向き伸縮材に対して固定されたスライダーとをもって構成してなる請求項１に記載の塔状建造物の構築解体用足場装置。
【請求項３】
伸縮用縦向き材は、建枠に支持される支持用連結部を備えた請求項１又は２に記載の構築解体用足場装置。
【請求項４】
塔状建造物の周囲を囲む配置に、所定高さの建枠を使用して多階層構造に組立てられた養生足場と、該養生足場の上端に設置され、前記塔状建造物の解体に使用する作業機材を吊り下げ支持させる吊り用支持枠と、前記吊り用支持枠に上端が固定され、前記養生足場内に向けて下向きに伸びる配置の複数の固定縦向き材と、該固定縦向き材に対して上下方向に相対移動可能に連結された伸縮用縦向き材と、前記固定縦向き材に対して伸縮用縦向き材を上下方向に強制相対移動させる昇降駆動ユニットとを備えた構築解体用足場装置を使用し、
前記吊り用支持枠を前記養生足場の上端に支持させた状態で前記伸縮用縦向き材を下向きに移動させ、該伸縮用縦向き材を前記養生足場の最上部より下の階層部分に支持させた状態で、前記吊り用支持枠下の養生足場をその最上階層から１又は複数階層分の解体を行い、然る後、前記伸縮用縦向き材に対して固定縦向き材を降下方向に移動させて前記吊り用支持枠を養生足場の上端部に支持させる動作を、前記吊り用支持枠に吊り下げた作業機材による塔状建造物の上端部からの解体に応じて繰り返すことを特徴としてなる塔状建造物の解体方法。
【請求項５】
塔状建造物が煙突の場合において、養生足場の上端に支持された吊り用支持枠より吊り降ろされた本体部と、該本体部の外周に支持され、前記煙突内面に押し当てることにより前記本体部を煙突の中心位置に位置決め可能な位置決め用脚と、前記本体部に作業アームを介して支持され、煙突の内壁に沿って旋回移動する煙突内側部除去手段とを備えた汚染部除去装置を使用し、該汚染部除去装置を煙突内に挿入し、所定の位置で前記本体部を煙突の中心位置に位置決めした状態で、前記煙突内側部除去手段により一定幅の煙突内側部を除去する動作を上下方向で繰り返し、前記煙突内側部の汚染部分を除去した後、前記汚染部除去装置に換えて解体作業用機材を吊り用支持枠に吊り下げて煙突の解体を行う請求項４に記載の塔状建造物の解体方法。
【発明の詳細な説明】
【技術分野】
【０００１】
本発明は、清掃工場の煙突等の塔状建造物の構築解体用足場装置及び該装置を使用した塔状建造物の解体方法に関する。
【背景技術】
【０００２】
一般に清掃工場の焼却炉に設置されている煙突等は、鉄筋コンクリート製或いは鋼製の煙突外筒体の内面に耐火煉瓦等からなる耐火被覆が施されているものが多く、この耐火被覆は、ダイオキシン類に汚染され、内面に汚染された物質が付着しているか、或いは内面より数ｍｍの範囲に汚染物質が含浸されている場合がある。
【０００３】
このような煙突の解体作業において、従来では、解体用圧砕機をアタッチメントとして取り付けた重機を用いて、煙突全体を圧砕解体する方法が採られていたが、この方法ではダイオキシン等の有害物質で汚染された煙突を解体する場合でも、煙突全体を圧砕して細かく破砕するため、ダイオキシン等の有害物質を含む有害な粉塵が周囲に飛散するとともに解体後の破砕物全体に有害物質が混じり、煙突解体によって生じる破砕物全体が有害産業廃棄物となり、その処理に多大な費用を要するという問題があった。
【０００４】
また、足場を吊って、作業員が煙突内に入り汚染された耐火被覆等を予め除去し、その後煙突全体の解体を行う工法も採られているが、この場合、ダイオキシン等の有害物質を含む有害な粉塵が周囲に飛散し、内部で作業を行う作業員の健康を害するおそれがあるという問題があった。
【０００５】
そこで、煙突内面を一定深さだけ予め除去するための汚染部除去装置を挿入し、汚染部分を予め除去することによって汚染部分と非汚染部分とを分けて処理出来るようにした汚染部除去方法が提供されている（例えば、特許文献１を参照）。
【０００６】
この方法に使用する汚染部除去装置１は、図９に示すように、位置決め用脚２，２…を外向きに伸長させ、煙突内面に押し当てることによって煙突内の略中心部分に位置決め可能な本体部３と、本体部３に作業アーム４を介して支持され、煙突の内壁に沿って旋回移動しつつ、煙突内側部を研削する研削手段５とを備え、本体部３を大型のトラッククレーン６によって煙突内に吊り下げて挿入し、所望の高さで本体部を略中心部分に位置決めし、研削手段を旋回させて煙突内面を研削して煙突内側部の汚染部分を除去するようになっている。
【０００７】
そして、煙突内側部の汚染部を除去した後、トラッククレーン６によって吊り下げ支持された圧砕機等を使用して煙突の外壁部を解体していくようになっている。
【特許文献１】特開２００４−９２９８７号公報
【発明の開示】
【発明が解決しようとする課題】
【０００８】
しかし、上述の従来の技術では、汚染部除去装置の吊り下げに大型のトラッククレーンを使用した場合、ブームの伸長や汚染部除去装置の吊り下げ設置作業等に時間がかかり、また、作業が数日間に渡って行われる際、毎日の作業終了毎にブームを収納させなければならず、作業が一々中断され、翌日上述の作業開始前の作業を再度行わなければならないので時間的ロスが大きく、工期が長引き、施工コストが高額となるという問題があり、更に、汚染部除去作業に引き続き煙突解体作業にも大型のトラッククレーンを使用する場合には、煙突解体用の機器としてはオーバースペックとなる場合が多く、施工コストを浪費することとなる。
【０００９】
また、強風時（風速１０ｍ／ｓ以上）には、大型のトラッククレーンによる作業を行うことができず、天候に影響されるという問題もあり、大型のトラッククレーンの設置では、設置面積を大きく確保する必要があり、現場によっては設置が困難な場所もあり、設置場所を確保できても道が狭い等の理由で、その場所までクレーン車が進入できない場合もあり、汚染部除去装置を使用した煙突解体工事を施工できる時間や場所が制限されるという問題もあった。
【００１０】
そこで本発明は、上述の従来技術の問題を鑑み、大型トラッククレーンを使用せず、天候や場所に影響されずに、効率的且つ安価に施工できるようにする塔状建造物の構築解体用足場装置及び該装置を使用した塔状建造物の解体方法の提供を目的とする。
【課題を解決するための手段】
【００１１】
上述の如き従来の問題を解決し、所期の目的を達成するための請求項１に記載の発明は、所定高さの建枠を使用し、該建枠の高さ分づつ順次組立て又は解体可能な多階層構造の養生足場と、該養生足場の上端に設置され、塔状建造物の構築又は解体に使用される作業用機材を吊り下げ支持させる吊り用支持枠と、前記吊り用支持枠に上端が固定され、前記養生足場内に向けて下向きに伸びる配置の複数の固定縦向き材と、該縦向き材に対して上下方向に相対移動可能に連結された伸縮用縦向き材と、前記固定縦向き材に対して伸縮用縦向き材を上下方向に強制相対移動させる昇降駆動ユニットとを備え、前記吊り用支持枠を前記養生足場の上端に支持させた状態で前記伸縮用縦向き材を昇降可能とし、該伸縮用縦向き材を前記養生足場の最上部より下の階層部分に支持させて前記固定用縦向き材を前記吊り用支持枠とともに昇降可能としてなる塔状建造物の構築解体用足場装置であることを特徴とする。
【００１２】
請求項２に記載の発明は、請求項１の構成に加え、前記昇降駆動ユニットは、前記伸縮用縦向き材に対して上下移動不能に支持されたスクリュー軸と、該スクリュー軸を回転駆動させる駆動源と、前記スクリュー軸に螺合され前記縦向き伸縮材に対して固定されたスライダーとをもって構成したことを特徴とする。
【００１３】
請求項３に記載の発明は、請求項１又は２の構成に加え、伸縮用縦向き材は、建枠に支持される支持用連結部を備えたことを特徴とする。
【００１４】
請求項４に記載の発明は、塔状建造物の周囲を囲む配置に、所定高さの建枠を使用して多階層構造に組立てられた養生足場と、該養生足場の上端に設置され、前記塔状建造物の解体に使用する作業機材を吊り下げ支持させる吊り用支持枠と、前記吊り用支持枠に上端が固定され、前記養生足場内に向けて下向きに伸びる配置の複数の固定縦向き材と、該固定縦向き材に対して上下方向に相対移動可能に連結された伸縮用縦向き材と、前記固定縦向き材に対して伸縮用縦向き材を上下方向に強制相対移動させる昇降駆動ユニットとを備えた構築解体用足場装置を使用し、
前記吊り用支持枠を前記養生足場の上端に支持させた状態で前記伸縮用縦向き材を下向きに移動させ、該伸縮用縦向き材を前記養生足場の最上部より下の階層部分に支持させた状態で、前記吊り用支持枠下の養生足場をその最上階層から１又は複数階層分の解体を行い、然る後、前記伸縮用縦向き材に対して固定縦向き材を降下方向に移動させて前記吊り用支持枠を養生足場の上端部に支持させる動作を、前記吊り用支持枠に吊り下げた作業機材による塔状建造物の上端部からの解体に応じて繰り返す塔状建造物の解体方法であることを特徴とする。
【００１５】
請求項５に記載の発明は、請求項４の構成に加え、塔状建造物が煙突の場合において、養生足場の上端に支持された吊り用支持枠より吊り降ろされた本体部と、該本体部の外周に支持され、前記煙突内面に押し当てることにより前記本体部を煙突の中心位置に位置決め可能な位置決め用脚と、前記本体部に作業アームを介して支持され、煙突の内壁に沿って旋回移動する煙突内側部除去手段とを備えた汚染部除去装置を使用し、該汚染部除去装置を煙突内に挿入し、所定の位置で前記本体部を煙突の中心位置に位置決めした状態で、前記煙突内側部除去手段により一定幅の煙突内側部を除去する動作を上下方向で繰り返し、前記煙突内側部の汚染部分を除去した後、前記汚染部除去装置に換えて解体用作業機材を吊り用支持枠に吊り下げて煙突の解体を行うことを特徴とする。
【発明の効果】
【００１６】
本発明に係る構築解体用足場装置は、所定高さの建枠を使用し、該建枠の高さ分づつ順次組立て又は解体可能な多階層構造の養生足場と、該養生足場の上端に設置され、塔状建造物の構築又は解体に使用される作業用機材を吊り下げ支持させる吊り用支持枠と、前記吊り用支持枠に上端が固定され、前記養生足場内に向けて下向きに伸びる配置の複数の固定縦向き材と、該縦向き材に対して上下方向に相対移動可能に連結された伸縮用縦向き材と、前記固定縦向き材に対して伸縮用縦向き材を上下方向に強制相対移動させる昇降駆動ユニットとを備え、前記吊り用支持枠を前記養生足場の上端に支持させた状態で前記伸縮用縦向き材を昇降可能とし、該伸縮用縦向き材を前記養生足場の最上部より下の階層部分に支持させて前記固定用縦向き材を前記吊り用支持枠とともに昇降可能としたことにより、足場を塔状建造物の構築作業又は解体作業に合わせて好適な高さに設置又は解体させることができる。
【００１７】
前記昇降駆動ユニットは、前記伸縮用縦向き材に対して上下移動不能に支持されたスクリュー軸と、該スクリュー軸を回転駆動させる駆動源と、前記スクリュー軸に螺合され前記縦向き伸縮材に対して固定されたスライダーとをもって構成したことによって、固定縦向き材に対し伸縮用縦向き材を好適に相対移動させることができるとともに、機械式構造であるので複数の昇降駆動ユニットを容易に同調させることができる。
【００１８】
伸縮用縦向き材は、建枠に支持される支持用連結部を備えたことによって、養生足場に伸縮用縦向き材を好適に支持させることができる。
【００１９】
塔状建造物の周囲を囲む配置に、所定高さの建枠を使用して多階層構造に組立てられた養生足場と、該養生足場の上端に設置され、前記塔状建造物の解体に使用する作業機材を吊り下げ支持させる吊り用支持枠と、前記吊り用支持枠に上端が固定され、前記養生足場内に向けて下向きに伸びる配置の複数の固定縦向き材と、該固定縦向き材に対して上下方向に相対移動可能に連結された伸縮用縦向き材と、前記固定縦向き材に対して伸縮用縦向き材を上下方向に強制相対移動させる昇降駆動ユニットとを備えた構築解体用足場装置を使用し、前記吊り用支持枠を前記養生足場の上端に支持させた状態で前記伸縮用縦向き材を下向きに移動させ、該伸縮用縦向き材を前記養生足場の最上部より下の階層部分に支持させた状態で、前記吊り用支持枠下の養生足場をその最上階層から１又は複数階層分の解体を行い、然る後、前記伸縮用縦向き材に対して固定縦向き材を降下方向に移動させて前記吊り用支持枠を養生足場の上端部に支持させる動作を、前記吊り用支持枠に吊り下げた作業機材による塔状建造物の上端部からの解体に応じて繰り返すことによって、既存の養生足場を利用できるとともに、解体時に発生する廃棄物が飛散するのを好適に防止することができる。また、解体に使用する作業用機材をトラッククレーンを使用せずに吊り下げ支持でき強風等にも影響され難く安定して作業を行うことができ、数日に渡って作業を行う際に、毎日の作業終了毎に一々作業が中断されることがないので作業効率が向上し、工期が短縮される。また、塔状建造物の解体作業と平行して、養生足場の解体を行えるので、工期が短縮され、施工コストを低減することができる。更には、施工する際の場所的制限も少なく、狭い場所やトラッククレーン等が進入しにくい場所でも施工できる。
【００２０】
塔状建造物が煙突の場合において、養生足場の上端に支持された吊り用支持枠より吊り降ろされた本体部と、該本体部の外周に支持され、前記煙突内面に押し当てることにより前記本体部を煙突の中心位置に位置決め可能な位置決め用脚と、前記本体部に作業アームを介して支持され、煙突の内壁に沿って旋回移動する煙突内側部除去手段とを備えた汚染部除去装置を使用し、該汚染部除去装置を煙突内に挿入し、所定の位置で前記本体部を煙突の中心位置に位置決めした状態で、前記煙突内側部除去手段により一定幅の煙突内側部を除去する動作を上下方向で繰り返し、前記煙突内側部の汚染部分を除去した後、前記汚染部除去装置に換えて解体作業用機材を吊り用支持枠に吊り下げて煙突の解体を行うことによって、汚染された廃棄物とその他の廃棄物とを別々に処理することができる。
【発明を実施するための最良の形態】
【００２１】
次に、本発明に係る塔状建造物の構築解体用足場装置について説明する。
【００２２】
図１は、塔状建造物の構築解体用足場装置の一例を示している。
【００２３】
この構築解体用足場装置は、煙突等の塔状建造物Ａの周囲を囲むように配置された養生足場１０と、養生足場１０の上端部に設置され、塔状建造物Ａの構築又は解体に使用される作業用機材を吊り下げ支持させる吊り用支持枠２０と、吊り用支持枠２０に上端が固定され、下向きに伸びる配置の固定縦向き材２１と、固定縦向き材２１に対し上下方向に相対移動可能に連結された伸縮用縦向き材２２と、固定縦向き材２１に対し、伸縮用縦向き材２２を強制相対移動させる昇降駆動ユニットとを備えている。
【００２４】
養生足場１０は、鳥居型又は門型の建枠１２を使用して多階層構造に組立てられている。即ち、間隔を置いて配置された建枠１２，１２間に取り外し可能に足場用横材１３を架け渡し、筋交状に配置した補強材１４，１４等で補強してなる足場ユニット１５を連結して四角形状に配置して１階層分の足場を形成し、それを上下方向に連結することによって多階層構造をなしている。
【００２５】
建枠１２は、間隔を置いて配置された一対の縦材１２ａ，１２ａと、両支柱１２ａ，１２ａ間を連結する横材１２ｂとを備えて鳥居型又は門型に形成され、横材１２ｂに足場用横材１３を支持させるようになっている。尚、図中符号１２ｃは補強部材である。
【００２６】
また、縦材１２ａの端部には、上下方向に連なる縦材１２ａの端部と互いに連結する連結構造を備えている。
【００２７】
尚、図中符号１６は昇降用の階段、符号１７は塔状建造物を養生足場１０に支持させるための支持部材である。
【００２８】
吊り用支持枠２０は、養生足場１０上面部の形状に合わせて形成され、枠下面部の周縁部及び各建枠１２の位置に合わせて補強部材が配され、レール部材２３が下面中央部に支持されている。このレール部材２３には、ウインチ装置２４等をスライド可能に支持させることができる。
【００２９】
また、建枠１２の位置に合わせて配置された補強部材の下面部には、建枠１２を構成する縦材１２ａの上端部と連結される連結部材２５が下向き配置に固定され、連結部材２５を建枠１２に連結して支持させることにより、吊り用支持枠２０が養生足場１０の上端部に支持されるようになっている。
【００３０】
固定縦向き材２１は、複数の縦部材３０，３０…と、各縦部材３０，３０の上端部及び下端部を連結する横部材３１，３１…とをもって直方体状に形成され、四隅部に配置された縦部材３０の上端部が吊り用支持枠２０の下面部に固定されている。
【００３１】
また、固定縦向き材２１には、上下の横部材３１，３１間に縦補強材３２，３２が架け渡して固定され、前後の横部材３１，３１間に横補強材３３，３３が架け渡して固定されている。更に、縦部材３０と縦補強材３２間には、補強材３４，３４…が架け渡されている。
【００３２】
この固定縦向き材２１の下端部、即ち下側の横部材３１，３１間に架け渡された横補強材３３，３３には、昇降駆動ユニットを構成するスライダー５２が支持されるようになっている。
【００３３】
また、この固定縦向き材２１には、その下端部外縁の対角線上外向きに、即ち四隅部に配された縦部材３０，３０…の外側部に支持車輪３５，３５…が回転自在に支持されている。
【００３４】
伸縮用縦向き材２２は、縦部材４０，４０と、縦部材４０，４０間を連結する横部材４１，４１…とをもって直方体形状に形成され、下端部及び中上段部の横部材４１，４１中央部間に昇降駆動ユニットを構成する軸受ユニット又は駆動源を固定するための固定部材４２，４２が架け渡して固定されている。
【００３５】
また、伸縮用縦向き材２２は、建枠１２に支持される支持用連結部４３，４３を四隅に配された縦部材４０，４０に対角線上外向きに突出した配置に備えている。また、この支持用連結部４３から伸縮用縦向き材２２下端までの距離は、略建枠１２の高さと同じになっている。
【００３６】
支持用連結部４３は、下面より突出した先細状の連結突起４４を備え、連結突起４４が建枠１２を構成する縦材１２ａの上端開口部に挿入されることにより建枠１２と連結され、それにより伸縮用縦向き材２２全体が建枠１２に支持されるようになっている。
【００３７】
更に、伸縮用縦向き材２２は、その上端部内縁、即ち四隅部に配された縦部材４０，４０…の内側部に支持車輪４５，４５…が回転自在に支持されている。
【００３８】
この固定縦向き材２１と伸縮用縦向き材２２とは、支持車輪３５が対向する伸縮用縦向き材２２の縦部材４０をレールとして滑動可能となり、支持車輪４５が対向する固定縦向き材２１の縦部材３０をレールとして滑動可能となるように組み合わされ、昇降駆動ユニットを介して互いに相対移動可能な状態に連結されている。
【００３９】
昇降駆動ユニットは、伸縮用縦向き材２２に対して上下移動不能に支持されたスクリュー軸５０と、スクリュー軸５０を回転させる駆動源であるモータ５１と、スクリュー軸５０に螺合され、固定縦向き材２１に固定されたスライダー５２とを備え、モータ５１を動作させてスクリュー軸５０を回転させることにより、固定縦向き材２１に固定されたスライダー５２がスクリュー軸５０を上下動し、固定縦向き材２１に対し伸縮用縦向き材２２が相対移動するようになっている。
【００４０】
スクリュー軸５０は、伸縮用縦向き材２２の下端部及び中上段部の横部材４１，４１中央部間に架け渡された固定部材４２，４２にそれぞれ支持された軸受部材５３，５３に両端部を枢支させて伸縮用縦向き材２２に対し、上下移動不能且つ回転自在の状態で支持されている。
【００４１】
駆動源たるモータ５１は、上側の軸受部材５３上に配置され、固定部材４２，４２に対し固定された支持台５４に固定され、スクリュー軸５０と駆動軸とを直結させている。尚、各昇降駆動ユニットを構成するモータ５１，５１…は、同期して回転するようになっている。
【００４２】
スライダー５２は、両横補強材３３，３３間に架け渡された固定版５５を介して固定縦向き材２１の下端中央部に固定されている。
【００４３】
このように構成された構築解体用足場装置は、吊り用支持枠２０を養生足場１０の上端に支持させた状態で伸縮用縦向き材２２を昇降可能とし、伸縮用縦向き材２２を養生足場１０の最上部より下の階層部分に支持させて固定用縦向き材２１を吊り用支持枠２０とともに昇降可能としたことにより、足場を塔状建造物の構築作業又は解体作業に合わせて好適な高さに設置又は解体することができるようになっている。
【００４４】
この構築解体用足場装置を解体する際の一連の動作を図５について説明する。尚、養生足場１０の階層は、それぞれ最上階層を第１階層目１０ａ、順次下側に向って第２階層目１０ｂ、第３階層目１０ｃとして説明する。
【００４５】
まず、図５（ａ）に示すように、吊り用支持枠２０を養生足場１０の上端部に支持させるとともに、２階層目１０ｂの建枠１２に伸縮用縦向き材２２を支持させた状態を初期状態とする。このとき、固定縦向き材２１と伸縮用縦向き材２２とは、互いに更に収縮可能な状態に収縮された状態となっている。
【００４６】
この初期状態から、昇降駆動ユニットを動作させて伸縮用縦向き材２２を上方に持上げて支持用連結部４３，４３…を建枠１２の上端より離脱させ、伸縮用縦向き材２２が第２階層目１０ｂの建枠１２に支持された状態を解除する。
【００４７】
この状態で、各縦向き材２１，２２と縦方向同列に配置された２階層目１０ｂの建枠１２及び第３階層目１０ｃの足場ユニット１５を構成する足場用横材１３及び筋交状補強部材１４を取り外す。
【００４８】
次に、昇降駆動ユニットを動作させて、伸縮用縦向き材２２を固定縦向き材２１に対して下向きに相対移動させ、各縦向き材２１，２２と縦方向同列に配置された第３階層目１０ｃの建枠１２の上端部に支持用連結部４３を連結させ、伸縮用縦向き材２２を第３階層目１０ｃの建枠１２に支持させる。
【００４９】
このとき、固定縦向き材２１と伸縮用縦向き材２２とは、互いに更に伸長可能な状態にある。
【００５０】
そして、次に、伸縮用縦向き材２２を第３階層目１０ｃの建枠１２に支持させた状態で、昇降駆動ユニットを動作させて伸縮用縦向き材２２に対し固定縦向き材２１を相対移動させて吊り用支持枠２０を持ち上げ、吊り用支持枠２０が養生足場１０の上端に支持された状態を解除する。
【００５１】
この状態で、図５（ｂ）に示すように、縦向き材２１，２２が配置された部分以外の第１階層目１０ａの足場ユニット１５を取り外す。
【００５２】
そして、昇降駆動ユニットを動作させ、伸縮用縦向き材２２に対し固定縦向き材２１を下向きに相対移動させて吊り用支持枠２０とともに降下させ、連結部材２５を第２階層目１０ｂの建枠１２上端部に連結させ、第２階層目１０ｂを新たな最上階層として吊り用支持枠２０を養生足場１０の上端に支持させた初期状態となる。
【００５３】
そして、図５に示して説明した上述の解体動作を順次繰り返すことにより所定の位置まで解体するようになっている。
【００５４】
一方、この足場装置では、図５に示して説明した上述の動作を順序を逆にして行うことにより、足場を組立てられるようになっている。
【００５５】
即ち、まず、初期状態から昇降駆動ユニットを動作させ、図５（ｂ）に示すように、伸縮用縦向き材２２に対し固定縦向き材２１を上向きに相対移動させて吊り用支持枠２０とともに上昇させる。
【００５６】
この状態で、養生足場１０最上端部の縦向き材２１，２２が配置された部分以外の足場ユニット１５，１５…を組立て、然る後、昇降駆動ユニットを動作させて伸縮用縦向き材２２に対し固定縦向き材２１を下向きに相対移動させて吊り用支持枠２０とともに降下させて、新たに組立てられた最上階層１０ａの建枠１２，１２…の上端部に吊り用支持枠２０の連結部材２５，２５を連結させ、吊り用支持枠２０を養生足場２０の最上端部に支持させる。
【００５７】
そして、吊り用支持枠２０を養生足場１０の最上端部に支持させた状態で昇降駆動ユニットを動作させ、固定縦向き材２１に対し伸縮用縦向き材２２を上向きに相対移動させ、その状態で、縦向き材２１，２２下の第３階層目１０ｃに足場ユニット１５を構成する足場横部材１３、筋交状補強材１４，１４を組立て、更に、第２階層目１０ｂに建て枠１２、１２を設置する。
【００５８】
最後に、昇降駆動ユニットを動作させ固定縦向き材２１に対して伸縮用縦向き材２２を下向きに動作させ、第２階層目１０ｂの建枠１２の上端部に支持用連結部４３，４３を連結させて、第２階層目１０ｂの建枠１２に伸縮用縦向き材２２を支持させ、図５（ａ）に示す初期状態となる。
【００５９】
この動作を繰り返すことにより構築解体用足場装置を順次組立てられるようになっている。
【００６０】
次に、上述の構築解体用足場装置を使用した塔状建造物の解体方法について煙突を解体する場合を例に説明する。
【００６１】
本解体方法では、煙突の周囲を囲む配置に構築解体用足場装置が組立てられた状態から、汚染部除去工程、塔状建造物解体工程を順次行うことにより行われる。
【００６２】
図６は、本発明方法における汚染部除去工程の概略を示し、図中符号Ａは塔状建造物たる煙突、符号１は汚染部除去装置である。
【００６３】
汚染部除去装置１は、図９に示す従来例と同様に、位置決め用脚２，２…を外向きに伸長させ、煙突内面に押し当てることによって煙突内の略中心部分に位置決め可能な本体部３と、本体部３に作業アーム４を介して支持され、煙突の内側部に沿って旋回移動しつつ、汚染された煙突内壁面や耐火ブロック等の煙突内側部を研削や圧砕等により除去する煙突内側部除去手段５とを備えている。
【００６４】
汚染部除去工程では、この汚染部除去装置１を吊り用支持枠２０に吊り下げ支持させて煙突Ａ内に挿入し、所望の高さで本体部３を略中心部分に位置決めし、内側部除去手段５を動作させつつ旋回させて煙突内側部Ａａの汚染部分を除去するようになっている。
【００６５】
まず、図７に示すように、養生足場１０の一部、即ち、レール部材２３下の部分を最上階層から数段階層分取り外して装置搬入口６０を形成し、装置搬入口６０よりレール部材２３を伝ってウインチ装置２４を養生足場１０外に移動させる。
【００６６】
次に、ウインチ装置２４より繰出されたワイヤ２４ａの先端部に汚染部除去装置１の本体部３上端部を連結させた後、ウインチ装置２４により汚染部除去装置１を養生足場１０上端部まで吊り上げる。
【００６７】
そして、ウインチ装置２４をレール部材２３に沿って移動させ、汚染部除去装置１を装置搬入口６０より養生足場１０内の略中心位置に搬入し、取り外した足場の一部を戻して装置搬入口６０を閉鎖する。
【００６８】
この状態で、ウインチ装置２４により吊りワイヤ２４ａを繰出し、図６に示すように、汚染部除去装置１を吊り降ろして煙突Ａ内に挿入し、所定の位置で位置決め用脚２，２…を外向きに伸長させ、煙突内面に押し当てることによって煙突Ａ内の略中心部分に位置決めし、その位置で作業アーム４を旋回及び上下させながら内側部除去手段５により煙突内側部Ａａの汚染された部分を一定幅分除去する。このとき、除去された廃棄物Ｂは煙突内を落下して煙突底部に山積され、それを重機６１によって搬出する。尚、図中符号６２は集塵機である。
【００６９】
この作業を順次ワイヤ２４ａを一定幅分づつ繰出しつつ繰り返し、煙突内側部Ａａ全体の汚染部分を除去する。
【００７０】
汚染部分の除去が終了したら、ウインチ装置２４によりワイヤ２４ａを戻して汚染部除去装置１を養生足場１０の上端部まで吊り上げるとともに、再度レール部材２３下の養生足場１０の一部を取り外して装置搬入口６０を形成し、レール部材２３に沿ってウインチ装置２４を移動させて汚染部除去装置１を装置搬入口６０より搬出し、ウインチ装置２４によりワイヤ２４ａを繰出して汚染部除去装置１を吊り降ろした後、汚染部除去装置１を取り外す。これにより汚染部除去工程が終了する。
【００７１】
続いて、上述の汚染部除去装置１に換えて圧砕機等の解体用機材６３をワイヤ２４ａの先端部に取り付け、それをウインチ装置２４により養生足場１０の上端部まで吊り上げ、装置搬入口６０より養生足場１０内に搬入し、然る後足場の一部を元に位置に戻して装置搬入口６０を閉鎖する。
【００７２】
そして、図５に示して説明した上述の解体動作を順次繰り返して、解体用機材６３の位置が煙突上端部解体位置に至る高さまで足場装置（養生足場１０）を解体する。
【００７３】
即ち、昇降駆動ユニットを動作させて伸縮用縦向き材２２を上方に持上げて支持用連結部４３，４３…を建枠１２の上端より離脱させ、伸縮用縦向き材２２が第２階層目１０ｂの建枠１２に支持された状態を解除し、各縦向き材２１，２２と縦方向同列に配置された２階層目１０ｂの建枠１２及び第３階層目１０ｃの足場ユニット１５を構成する足場用横板１３及び筋交状補強部材１４，１４を取り外す。
【００７４】
次に、昇降駆動ユニットを動作させて、伸縮用縦向き材２２を固定縦向き材２１に対して下向きに相対移動させ、各縦向き材と縦方向同列に配置された第３階層目１０ｃの建枠１２の上端部に支持連結部４３，４３を連結させ、伸縮用縦向き材２２を第３階層目１０ｃの建枠１２に支持させる。
【００７５】
このとき、固定縦向き材２１と伸縮用縦向き材２２とは、互いに更に伸長可能な状態にある。
【００７６】
そして、次に、伸縮用縦向き材２２を第３階層目１０ｃの建枠１２に支持させた状態で、昇降駆動ユニットを動作させて伸縮用縦向き材２２に対し固定縦向き材２１を相対移動させて吊り用支持枠２０を養生足場１０の上端より持ち上げ、吊り用支持枠２０が養生足場１０の上端に支持された状態を解除する。
【００７７】
この状態で、縦向き材が配置された部分以外の第１階層目の足場ユニット１５を取り外す。
【００７８】
そして、昇降駆動ユニットを動作させ、伸縮用縦向き材２２に対し固定縦向き材２１を下向きに相対移動させて吊り用支持枠２０とともに降下させ、連結部材２５を第２階層目１０ｂの建枠１２上端部に連結させ、吊り用支持枠２０を第２階層目１０ｂを新たに最上階層とした養生足場１０の上端に支持させて初期状態となる。
【００７９】
この図５に示して説明した上述の動作を所定の位置、即ち上端部解体位置に至る高さまで順次繰り返す。
【００８０】
解体用機材６３の位置を所定の煙突上端部解体位置まで降下させた後、図８に示すように、この位置で解体用機材６３を用いて汚染部を取り除いた煙突Ａの上端部を圧砕して解体を行う。
【００８１】
このとき、圧砕された廃棄物Ｃは煙突内を落下して煙突底部に山積され、それを重機６１によって搬出するようにし、また、煙突の周囲を囲む養生足場１０を飛散防止用のシート等（図示せず）により覆うことによって解体時に発生する粉塵が外部に飛散するのを防止することができるようになっている。尚、図中符号６２は集塵機である。
【００８２】
次に、煙突上端部の解体が終了したら、上述の図５に示して説明した上述の解体動作を繰り返して不要となった部分の養生足場１０を解体しつつ、図８に示す上述の煙突解体作業を行い、この作業を煙突上端部からの解体に応じて繰り返し、煙突の解体が終了すると養生足場１０も下層部のみを残して解体される。
【００８３】
最後に、構築解体用足場装置を撤去し、塔状建造物Ａの解体が終了する。
【００８４】
尚、上述の実施例では、塔状建造物Ａを煙突とした例について説明したが、塔状建造物Ａはその他ビルディングやその他の塔状建造物であってもよく、その場合、上述の汚染部除去工程を行わずに塔状建造物解体工程より開始すればよい。
【００８５】
また、上述の実施例では、昇降駆動ユニットをスクリュー軸５０及びスクリュー軸５０上を螺進するスライダー５２とを用いる機構を使用した例を示したが、その他、クライミングロッドを伸縮用縦向き材２２に上下移動不可の状態で支持させ、固定用縦向き材にクライミングジャッキを取り付け、クライミングロッドに沿ってクライミングジャッキが上下することにより固定縦向き材２１と伸縮用縦向き材２２とが相対移動可能としたもの等、その他の機構を用いても良い。
【図面の簡単な説明】
【００８６】
【図１】本発明に係る塔状建造物の構築解体用足場装置の実施の一例を示す側面図である。
【図２】図１中のＤ−Ｄ線矢視図である。
【図３】図１中の構築解体用足場装置の昇降機構を示す正面図である。
【図４】同上の平面図である。
【図５】（ａ）は構築解体用足場装置の初期状態の概略を示す前半部側面図、（ｂ）は同足場撤去作業の状態の概略を示す前半部側面図である。
【図６】本発明方法における汚染部分除去工程の概略を示す断面図である。
【図７】同上の汚染部除去装置搬入の状態を示す断面図である。
【図８】本発明方法における塔状建造物解体工程の概略を示す断面図である。
【図９】従来の塔状建造物解体方法の一例を示す断面図である。
【符号の説明】
【００８７】
Ａ  塔状建造物（煙突）
Ａａ  煙突内側部
Ｂ，Ｃ  廃棄物
１０  養生足場
１２  建枠
１２ａ  縦材
１２ｂ  横材
１２ｃ  補強部材
１３  足場用横材
１４  筋交状補強部材
１５  足場ユニット
１６  昇降用階段
１７  支持部材
２０  吊り用支持枠
２１  固定縦向き材
２２  伸縮用縦向き材
２３  レール部材
２４  ウインチ装置
２４ａ  吊りワイヤ
２５  連結部材
３０  縦部材
３１  横部材
３２  縦補強材
３３  横補強材
３４  補強材
３５  支持車輪
４０  縦部材
４１  横部材
４２  固定部材
４３  支持用連結部
４４  連結突起
４５  支持車輪
５０  スクリュー軸
５１  モータ
５２  スライダー
５３  軸受部材
５４  支持台
５５  固定版
６０  装置搬入口
６１  重機
６２  集塵機
６３  解体用機材
【図１】
2006132181.tif 000003
【図２】
2006132181.tif 000004
【図３】
2006132181.tif 000005
【図４】
2006132181.tif 000006
【図５】
2006132181.tif 000007
【図６】
2006132181.tif 000008
【図７】
2006132181.tif 000009
【図８】
2006132181.tif 000010
【図９】
2006132181.tif 000011